(57)【要約】  セルラー通信デバイスの位置を測定するためのシステムおよび方法が提示されている。無線信号を用いて通信ネットワークと通信する移動通信デバイスの位置を測定するための位置測定システムが記載されている。位置測定システムは、通信ネットワークの一部を形成する基地局と移動通信デバイスとの間で送信される無線信号を検出するレシーバーと、検出された無線信号に移動通信デバイスの識別情報を取り出すための処理を加える処理手段とを備えている。取り出された識別情報は、基地局を示すデータと関連づけしてデータ格納部に格納される。処理手段とデータ格納部とは、通信ネットワークから独立しているため、携帯電話ネットワークの動作に影響を与えることはない。【選択図】図１
2014510442.tif 000002
【特許請求の範囲】
【請求項１】
無線信号を用いて通信ネットワークと通信するように構成されている移動通信デバイスの位置を測定するための位置測定システムであって、
前記移動通信デバイスと前記通信ネットワークの一部を構成する基地局との間で送信される無線信号を検出すように構成されているレシーバーと、
前記移動通信デバイスの識別情報を取り出すように、検出された前記無線信号を処理する手段と、
前記基地局を示すデータと関連づけして前記識別情報を格納する手段とを備えており、
前記処理する手段および前記格納する手段が前記通信ネットワークから独立してなる、位置測定システム。
【請求項２】
前記格納する手段が、前記基地局を示すデータおよびタイムスタンプと関連づけして識別情報を格納するように構成されてなる、請求項１に記載の位置測定システム。
【請求項３】
前記プロセッサが、前記基地局により放送される位置コードを含むメッセージに応答して、前記移動通信デバイスにより送信されるメッセージから前記移動通信デバイスの識別情報を取り出すように構成されてなる、請求項１又は２に記載の位置測定システム。
【請求項４】
前記レシーバーが、１つの移動通信デバイスと複数の異なる基地局との間の無線信号を検出するように構成されてなる、請求項１乃至３のうちのいずれか一項に記載の位置測定システム。
【請求項５】
前記複数の異なる基地局が、異なる通信ネットワークオペレーターのための基地局である、請求項４に記載の位置測定システム。
【請求項６】
前記処理する手段が、前記無線信号に用いられているスクランブルコード、チャネライゼーションコード、 分離コードまたは国際的セル識別コードから前記無線信号に関連する前記基地局を求めるように構成されてなる、請求項４または５に記載の位置測定システム。
【請求項７】
フェムトセル基地局をさらに備えており、前記レシーバーが、前記移動通信デバイスと前記フェムトセル基地局との間で送信される無線信号を検出するように構成されてなる、請求項１乃至６のうちのいずれか一項に記載の位置測定システム。
【請求項８】
前記レシーバーおよび前記フェムトセル基地局が共通のアンテナを有してなる、請求項７に記載の位置測定システム。
【請求項９】
前記フェムトセル基地局が、該フェムトセル基地局により提供されるテレコミュニケーションサービスの利用を許可されている移動通信デバイスの非公開リストを有しており、前記格納する手段が、前記非公開リストに含まれていない移動通信デバイスに対応する識別情報を格納するように構成されてなる、請求項７または８に記載の位置測定システム。
【請求項１０】
前記フェムトセル基地局の前記サービスエリアを調節する手段をさらに備えてなる、請求項７乃至９のうちのいずれか一項に記載の位置測定システム。
【請求項１１】
前記調節する手段が、前記サービスエリアを縮小するために少なくとも部分的に吸収材料で前記フェムトセル基地局を部分的に取り囲む手段である、請求項１０に記載の位置測定システム。
【請求項１２】
前記調節する手段が、前記無線信号を前記フェムトセル基地局から制限区域の中へ反射する手段である、請求項１０に記載の位置測定システム。
【請求項１３】
前記調節する手段がフェムトセル基地局を取り囲むケースであり、該ケースが、無線信号を前記フェムトセル基地局から制限区域に向けて導くように構成される開口を有してなる、請求項１０に記載の位置測定システム。
【請求項１４】
前記調節する手段が、
前記フェムトセル基地局を取り囲み、前記フェムトセル基地局との間で無線信号を送受信するための伝導性プローブを有しているケースと、
前記ケースの外部から前記伝導性プローブに接続可能なアンテナシステムとを有しており、    
前記アンテナシステムが、前記フェムトセル基地局のサービスエリアとは異なるサービスエリアを提供するように構成されてなる、請求項１０に記載の位置測定システム。
【請求項１５】
複数のレシーバーを備えており、各レシーバーが１つの移動通信デバイスと少なくとも１つのフェムトセル基地局との間の無線信号を検出するように構成されており、
前記処理する手段が、前記複数のレシーバーにより検出された前記無線信号を処理する手段であり、
前記格納する手段が、取り出された識別情報を、それに対応する前記フェムトセル基地局を示すデータおよびタイミング情報と関連づけして、すべてのレシーバーに共通のデータベース内に格納するように構成されてなる、請求項１乃至１４のうちのいずれか一項に記載の位置測定システム。
【請求項１６】
無線信号を用いて通信ネットワークと通信する移動通信デバイスの位置を測定する方法であって、
前記移動通信デバイスと基地局との間で送信される無線信号を検出し、該無線信号により搬送される前記移動通信デバイスの識別情報を取り出すことと、
前記基地局に関連する位置を示すデータと関連づけして前記識別情報を前記通信ネットワークから独立しているデータベースに格納することと
を含む、方法。
【請求項１７】
前記基地局がフェムトセル基地局であり、前記方法が、前記フェムトセル基地局の位置エリア境界が所望の位置にあるように前記フェムトセル基地局の位置決めをすることをさらに含む、請求項１６に記載の方法。
【請求項１８】
前記フェムトセル基地局が、該フェムトセル基地局により提供されるテレコミュニケーションサービスの利用を許可されている移動通信デバイスの非公開リストを有しており、
前記格納することが、前記非公開リストに含まれていない移動通信デバイスに対応する識別情報を格納することを含む、請求項１７に記載の方法。
【請求項１９】
前記フェムトセル基地局が、位置コードを搬送する無線信号を放送し、前記識別情報が、前記位置コードを搬送する無線信号に応答して送信される無線信号から取り出される、請求項１７または１８に記載の方法。
【発明の詳細な説明】
【技術分野】
【０００１】
本発明は、公衆地上移動体通信ネットワーク（ＰＬＭＮ）の如き無線通信ネットワークの基地局と通信するセルラー通信デバイスの位置を測定することに関するものである。 
【背景技術】
【０００２】
本発明は、時間の経過とともにセルラー通信デバイスの位置を監視することにより、セルラー通信デバイスの移動を追跡することを可能とする。本発明は、無線通信ネットワークの標準的な動作を利用したものであるが、無線通信ネットワークの標準的な動作とは関係なく動作するものであってもよい。したがって、実施形態によっては、本発明は無線通信ネットワークのオペレーターによる関与を必要とすることなく実現される場合もある。
【０００３】
無線通信ネットワークでセルラー通信デバイス（便宜上、以後携帯電話と呼ぶ）の位置を追跡することは周知技術である。具体的にいえば、無線通信ネットワークは、通常複数の位置エリアをカバーしており、各位置エリアはお互いに隣接されている複数のセルに対応している（セルとは、１つの基地局アンテナによりカバーされる領域のことである）。無線通信ネットワークは、携帯電話が音声呼び出しセッションまたはデータ転送セッションに従事していない時でさえ、携帯電話が位置する位置エリアを見つけられる。
【０００４】
具体的にいえば、各位置エリアには位置エリアコードが割り当てられており、この位置エリアコードは、一定の間隔で、位置エリア内のすべての基地局によりブロードキャストされるようになっている。携帯電話は、音声呼出しセッションまたはデータセッション（ＵＭＴＳでは、アイドルモードとして知られている）に携帯電話が従事していない時でさえ、それらが現在監視しているセルによりブロードキャストされている位置エリアコードを受信および監視する。１つの位置エリア内の携帯電話が他の位置エリアとの境界に到着した時、この携帯電話は、新たな位置エリアコードを検出し、それに応答して、Ｗｉｒｅｌｅｓｓ Ｃｏｍｍｕｎｉｃａｔｉｏｎ  Ｎｅｔｗｏｒｋ（無線通信ネットワーク）のコアネットワークに要求メッセージ（ＵＭＴＳでは、位置更新要求（ＬＯＣＡＴＩＯＮ  ＵＰＤＡＴＩＮＧ  ＲＥＱＵＥＳＴ）として知られている）を送信する。この要求メッセージは、当該携帯電話の加入者の身元に関する限られた情報を有している。要求メッセージは、タイマーの終了時にも携帯電話により送信されるようになっている（ＵＭＴＳでは、周期的な更新処理として知られている）。このタイマーの長さは、無線通信システムのオペレーターにより設定され、通常少なくとも６０分である。
【０００５】
要求メッセージを受信した後、コアネットワークは、加入者のアクセス権に応じてこの要求を承諾または拒絶する。新たな位置エリアへの加入者のアクセスを許可しない場合（たとえば、それが無許可のローミングであるという理由で）、無線通信ネットワークは、拒絶メッセージ（ＵＭＴＳでは、位置更新拒絶（ＬＯＣＡＴＩＯＮ  ＵＰＤＡＴＩＮＧ  ＲＥＪＥＣＴ）メッセージとして知られている）を送信する。この拒絶メッセージには、要求が許可されない理由が示される。
【発明の概要】
【発明が解決しようとする課題】
【０００６】
上述の位置エリア更新手続きは、携帯電話の位置の測定をある程度可能とするものの、２つの主要な理由により、位置を測定するための効率的な方法とはいえない。第一の理由としては、携帯電話により送信されるメッセージの数を最小限に抑えるように各位置エリアの境界の位置が無線通信ネットワークのオペレーターにより通常選択されるので、交通量の多い位置（すなわち、携帯電話が位置エリアの境界を頻繁に横断する位置）から離れた位置にあるという点が挙げられる。位置エリアは、比較的広く、通常何十ものセルまたは何百ものセルから構成されている。したがって、無線通信ネットワークのオペレーターにより設定された位置エリア境界を横断することにより引き起こされる位置エリアの更新は、やや希であり、携帯電話の位置を測定するのが望ましい位置では生じない恐れがある。第二の理由としては、周期的更新メッセージの間隔が比較的長く、携帯電話が高速で移動している場合、または非常に高い精度で携帯電話の位置を測定することが望まれているような場合、位置測定が困難になるという点が挙げられる。
【課題を解決するための手段】
【０００７】
本発明は、無線通信ネットワークのオペレーターの協力を必要とすることなく携帯電話の位置を測定するために改良された技術を提供するという課題に取り組んだものである。本発明の態様は添付の特許請求の範囲に記載されている。
【０００８】
本発明の好ましい実施形態はフェムトセルを用いたものである。フェムトセルとは、関連する無線通信ネットワークの通信規格に従い、その無線通信ネットワークに許可されている周波数スペクトル内で無線信号を送信する基地局（以後、フェムトセル基地局と呼ぶ）を備えている短距離セルのことである。しかしながら、フェムトセル基地局の位置決めは、無線通信ネットワークのオペレーターではなくフェムトセル基地局のユーザーによりなされている。さらに、フェムトセル基地局のユーザーは、フェムトセル基地局を介した通信を誰に許可するかに関する規則を設定することができる。通常、フェムトセル基地局は、その残りの無線通信ネットワークと消費者向けブロードバンド接続を介して接続されており、ユーザーは、規則に従って、誰が消費者向けブロードバンド接続を介した信号の送信を行うことができるかについて制限することができる。フェムトセルには、無線通信ネットワークの周囲のセルの位置エリアコードとは異なる位置エリアコードが割り当てられる。
【０００９】
複数の通信規約に従うフェムトセルが提供されている。３ＧＰＰ  ＵＭＴＳ規約では、フェムトセルはＨｏｍｅ  ＮｏｄｅＢと呼ばれ、３ＧＰＰ  ＬＴＥ規約では、フェムトセルはＨｏｍｅ  ｅＮｏｄｅＢと呼ばれる。３ＧＰＰ２規約では、フェムトセルは、単にフェムトセルと呼ばれ、ＷｉＭＡＸ規約では、フェムトセルアクセスポイントと呼ばれる。しかしながら、用語フェムトセルは、これらの専門用語を総称的にカバーすると考えられているので、明瞭さのために、用語フェムトセルおよび用語フェムトセル基地局を用いることとする。
【００１０】
本発明を実施するための装置は、無線通信ネットワークの既存のフェムトセル基地局または他の基地局（たとえば、ピコセル基地局（ｐｉｃｏｃｅｌｌ  ｂａｓｅ  ｓｔａｔｉｏｎ））を利用するものであってもよい。それに代えて、本発明を実施するための装置は、１つ以上のフェムトセル基地局と併せて販売されるようになっていてもよい。
【００１１】
簡潔にいえば、本発明を実施するための装置は、位置更新手続きの間に送信される無線信号を検出するレシーバーと、無線信号から識別情報を取り出し、取り出された識別情報をデータベースへ送信し、フェムトセル基地局（または、他のタイプの基地局）を特定するデータと関連づけして格納するプロセッサとを備えている。レシーバーは、複数のフェムトセル基地局との間で通信される無線信号を監視し、データベースは複数のレシーバーにより提供される位置データを格納するようになっていてもよい。このように、関心領域（エリア）内の複数のフェムトセル基地局の位置エリア境界を適切に位置決めすることにより、関心領域を通過する携帯電話の移動を追跡することができる。
【００１２】
通常、フェムトセルは、エンドユーザーにより設定される非公開ユーザーグループを有している。この非公開ユーザーグループ内の携帯電話のみが、フェムトセルにおいてサービスを受けることができる。このようになっているのは、フェムトセルが、エンドユーザーにより購入され、通りすがりの他のユーザーからの通信を支えず、購入者専用であることを担保するためである。したがって、このことにより、エンドユーザー購入者のインターネット接続の過剰使用が防止される。
【００１３】
フェムトセル基地局の位置決めがエンドユーザーにより通常行われるので、１つ以上のフェムトセル基地局の位置決めについては、それに対応する位置エリア境界が適切に位置決めされるように慎重にすることができる。本発明にかかる実施形態によっては、位置エリア境界の位置決めに関連する制御を良好に行うことを可能とするため、フェムトセル基地局のサービスエリアを調節するための手段が提供されている場合もある。
【００１４】
本発明は、商店街または空港の如き関心のある限定領域（エリア）における携帯電話の移動を追跡するのに非常に有益である。
【００１５】
以下に、添付の図面を参照して、本発明のさまざまな好ましい実施形態を記載する。
【図面の簡単な説明】
【００１６】
【図１】本発明の第一の実施形態にかかる携帯電話、フェムトセル基地局システムおよび位置測定システムを概略的に示すブロックダイヤグラム図である。
【図２】第一のフェムトセルから第二のフェムトセルまで移動する携帯電話を示すブロックダイヤグラム図である。
【図３】フェムトセル基地局に関係ある位置更新手続きで実行される信号伝達の簡略化バージョンを示す表である。
【図４Ａ】フェムトセル基地局のサービスエリアを変更する反射表面を備えているフェムトセル基地局を示す図である。
【図４Ｂ】スロットアンテナまたは開口アンテナとして働くスロットを備えたシールドケースに収納されているフェムトセル基地局を示す図である。
【図４Ｃ】ケースの内のアンテナがケースの外のアンテナに接続されている状態で、シールドケース内にその全体が収納されているフェムトセル基地局を示す図である。
【発明を実施するための形態】
【００１７】
図１に示されているように、本発明にかかる実施形態では、従来のフェムトセル基地局１が、無線通信ネットワークの加入者の携帯電話５との間の信号の送受信をフェムトセル基地局１の一部を形成するアンテナ２を介して行うようになっている。フェムトセル基地局１は、インターネット３、たとえば従来の消費者向けブロードバンド接続を介して、無線通信ネットワークのコアネットワークおよびそれに関連する管理システム４に接続されている。この実施形態では、無線通信ネットワークとは従来の地上携帯電話ネットワークのことであり、フェムトセル１、コアネットワーク４およびインターネット３の動作は従来の動作から変わっていないため、本発明は無線通信ネットワークの動作に対して影響を与えることはない。
【００１８】
この実施形態では、フェムトセル基地局１は独立監視デバイス７と関連づけされて設置されている。独立監視デバイス７は、アップリンクされたメッセージの受信および処理のみを行うように変更されているフェムトセルであってもよいし、または携帯電話５からの送信信号の受信および復号（デコード）を行うことができる他のいかなるデバイスにより置き換えられてもよい。独立監視デバイス７の動作は、無線通信ネットワークの動作から独立したものであり、独立監視デバイス７と無線通信ネットワークのコアネットワーク４との間でデータの転送はない。
【００１９】
独立監視デバイス７は、それ自体のアンテナ６に接続されており、このアンテナ６は、アンテナ２と同様の（しかし必ずしも同一である必要はない）領域内で送信される信号を受信するようになっている。もっと正確にいえば、ＵＭＴＳの如き同じ周波数方式のアップリンクチャネルで異なる分離コードまたはスクランブリングコードを用いているので、１つの独立監視デバイス７を用いて複数のフェムトセル１からデータを収集することにより、どのフェムトセル１が位置更新（ＬＯＣＡＴＩＯＮ  ＵＰＤＡＴＥ）手続きを行なったかを分離コードに基づいて判断することが可能となる。
【００２０】
また、独立監視デバイス７は、アンテナ６に接続され送信信号を検出するレシーバー回路８と、携帯電話５の識別情報を取り出す処理を検出された信号に加えるプロセッサ９とを有している。この実施形態では、独立監視デバイス７は、インターネットまたは私用ローカルエリアネットワークでありうるネットワーク１０を介して、管理・データロギングシステム１１に接続されている。また、管理・データロギングシステム１１の動作は無線通信ネットワークの動作から独立したものであり、管理・データロギングシステム１１と無線通信ネットワークのコアネットワーク４との間にデータの転送はない。
【００２１】
正常動作時、フェムトセル基地局１は、そのサービスエリアに入るすべて携帯電話の位置更新を行なうために、無線通信ネットワーク内の周辺基地局に異なる位置エリアコードを送信する。その結果、携帯電話５がフェムトセル基地局１の範囲の中に入ると、当該携帯電話はフェムトセル基地局１へ位置更新要求（ＬＯＣＡＴＩＯＮ  ＵＰＤＡＴＩＮＧ  ＲＥＱＵＥＳＴ）メッセージを送信する。この実施形態では、フェムトセル基地局１は、非常に少ない台数の携帯電話、もっといえばゼロ台の携帯電話からなる非公開ユーザーグループを有するように設定されている。非公開ユーザーグループに登録されていない携帯電話の場合、以下により詳細に説明されているように、フェムトセル基地局１は、位置更新要求（ＬＯＣＡＴＩＯＮ  ＵＰＤＡＴＩＮＧ  ＲＥＱＵＥＳＴ）を受信した後、位置更新拒絶（ＬＯＣＡＴＩＯＮ  ＵＰＤＡＴＩＮＧ  ＲＥＪＥＣＴ）メッセージを送信し、その後の移動電話の音声通信およびデータ通信は、フェムトセル基地局１ではなく、より広域の無線通信ネットワークの基地局を用いて行われる。
【００２２】
本発明によれば、独立監視デバイス７は、携帯電話５からの位置更新要求（ＬＯＣＡＴＩＯＮ  ＵＰＤＡＴＩＮＧ  ＲＥＱＵＥＳＴ）メッセージを検出し、携帯電話１の識別情報およびメッセージの受信時刻を記録する。これらの情報は、管理・データロギングシステム１１へ送信され、格納される。このようにして、ある時刻における携帯電話１の位置が求められ、格納される。
【００２３】
図を簡単にするために、図１では、管理・データロギングシステム１１は単一の独立監視デバイス７に接続されているものとして示されている。しかしながら、管理・データロギングシステム１１は複数の独立監視デバイスに接続されてもよい。各独立監視デバイスは、それに対応する、１つ以上のフェムトセルからなるグループとの間で送受信される信号を監視する。たとえば、図２には、各々がインターネットを介してオペレーターネットワークに接続されているフェムトセル基地局を備えている２つのサブシステム２１および２３が示されている（接続は図示せず）。各サブシステム２１、２３は、ローカルエリアネットワーク２５を介して管理・データロギングシステム１１に接続される独立監視デバイスをさらに備えている。第一のサブシステム２１のフェムトセル基地局のサービスエリア２７の境界に接近する携帯電話５は、第一のサブシステム２１の監視レシーバーにより監視される位置更新手続きを開始するために位置更新要求（ＬＯＣＡＴＩＯＮ  ＵＰＤＡＴＩＮＧ  ＲＥＱＵＥＳＴ）を送信し、その時刻が、携帯電話５の識別子と携帯電話５が通信しているフェムトセル基地局の識別子と併せて管理・データロギングシステム１１に記録される。その後、携帯電話５が第二のサブシステム２３のフェムトセル基地局のサービスエリア２９の境界に接近すると、携帯電話５は、他の位置更新手続きを開始するために、第二のサブシステム２３内の監視レシーバーにより監視される他の位置更新要求（ＬＯＣＡＴＩＯＮ  ＵＰＤＡＴＩＮＧ  ＲＥＱＵＥＳＴ）を送信する。その時刻は、携帯電話の識別子と携帯電話５が通信しているフェムトセル基地局の識別子と併せて管理・データロギングシステム１１により記録される。
【００２４】
管理・データロギングシステム１１は、記録された移動電話加入者識別子を比較し、それらが同じ加入者からのものであること判断することにより、携帯電話５の移動を追跡し、携帯電話５が一つのセルの境界から他のセルの境界まで移動するのにかかった時間を求めることができる。追跡する位置の数を増やすために、管理・データロギングシステム１１に接続される独立監視デバイス７の数をさらに増やすようにしてもよい。
【００２５】
次に、図３を参照して、フェムトセル基地局１および独立監視デバイス７が携帯電話５を識別する方法を記載する。図３に示されているように、携帯電話（図３ではＭｏｂｉｌｅまたはＭＳと呼ぶ）がフェムトセル基地局（図３ではＢＴＳ／ＮｏｄｅＢと呼ぶ）の位置エリア（ＬＡＩ）に入った後、携帯電話５はチャネルを要求し、フェムトセル基地局はチャネルの割当てを行う。次いで、携帯電話５はフェムトセル基地局１へ位置更新要求（ＬＯＣＡＴＩＯＮ  ＵＰＤＡＴＩＮＧ  ＲＥＱＵＥＳＴ）を送信する。この位置更新要求（ＬＯＣＡＴＩＯＮ  ＵＰＤＡＴＩＮＧ  ＲＥＱＵＥＳＴ）には、携帯電話５を所有する加入者にすでに割り当てられ限定された期間のみ有効な位置エリアコードと、一時的な移動電話加入者識別子（ＴＭＳＩ：Ｔｅｍｐｏｒａｒｙ  Ｍｏｂｉｌｅ  ｓｕｂｓｃｒｉｂｅｒ  Ｉｄｅｎｔｉｆｉｅｒ）とが含まれている。ＴＭＳＩは、セキュリティを向上させるために国際移動電話加入者識別子（携帯電話の加入者に一意的に割り当てられた数）（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）を無線通信ネットワークに送信しなければならない回数を減らすために用いられている。ＩＭＳＩは当業者にとって周知の識別子であり、最初の６桁の数字から移動電話国番号（Ｍｏｂｉｌｅ  Ｃｏｕｎｔｒｙ  Ｃｏｄｅ）と、移動電話ネットワークコード（Ｍｏｂｉｌｅ  Ｎｅｔｗｏｒｋ  Ｃｏｄｅ）とを求めることが可能である。最初の６桁の値は、世界中のどこであっても、加入者のＳＩＭカードの識別情報となり、加入者の国およびネットワークについて明らかにする。最初の６桁の値と残りの桁の値とを組み合わせた値は、固有の識別子となる。ＩＭＳＩの全ての値は世界中で一度だけしか用いられないからである。
【００２６】
携帯電話５を識別するために、フェムトセル基地局１および独立監視デバイス７はＩＭＳＩを知る必要がある。したがって、図３のステップ５では、フェムトセル基地局１は、携帯電話５に識別情報要求（ＩＤＥＮＴＩＴＹ  ＲＥＱＵＥＳＴ）を送信して携帯電話５の加入者のＩＭＳＩを要求する。それに応答して、携帯電話５は、図３のステップ６で、要求されたＩＭＳＩを提供する識別情報応答（ＩＤＥＮＴＩＴＹ  ＲＥＳＰＯＮＳＥ）をフェムトセル基地局１へ送信する。
【００２７】
次いで、フェムトセル基地局１は、送信されてきたＩＭＳＩが当該フェムトセルの非公開ユーザーグループ内に存在するか否かをチェックする。図３には、ＩＭＳＩが非公開ユーザーグループ内に存在する場合に取られるステップが続いて示されている。これらのステップには、暗号化されたチャネルを設定することと、携帯電話の加入者に新規のＴＭＳＩを割り当てることとが含まれている。しかしながら上述のように、本発明のこの実施形態では、非公開ユーザーグループのリストにはゼロまたは非常に少ない数のＩＭＳＩしか含まれていないので、フェムトセル基地局１はほとんどの位置更新要求（ＬＯＣＡＴＩＯＮ  ＵＰＤＡＴＩＮＧ  ＲＥＱＵＥＳＴ）を拒否することになる。
【００２８】
フェムトセル基地局が携帯電話の加入者のＩＭＳＩを確認する要件は、独立監視デバイス７が携帯電話を一義的に特定することを可能とするので有利なことである。しかしながら、ＴＭＳＩ自体が有益な識別データであるので、独立監視デバイスはＴＭＳＩだけを取り出すようになっていてもよいし、またはＴＭＳＩとＩＭＳＩとの両方を取り出すようになっていてもよい。
【００２９】
上述のように、ＩＭＳＩの送信に関してはセキュリティ上の問題が存在する。この実施形態では、衝突比率が小さい単一方向非可逆性ハッシュ（ｏｎｅ−ｗａｙ  ｎｏｎ−ｒｅｖｅｒｓｉｂｌｅ  ｈａｓｈ）を用いてＩＭＳＩの最初の６桁の数字以外の部分を不明瞭にすることにより、追跡データベース内でＩＭＳＩのすべての値を用いることに関するセキュリティ上のおよびデータ保護に関する潜在的問題が回避されている。最初の６桁の数字、すなわち移動電話国番号（Ｍｏｂｉｌｅ  Ｃｏｕｎｔｒｙ  Ｃｏｄｅ）および移動電話ネットワークコード（Ｍｏｂｉｌｅ  Ｎｅｔｗｏｒｋ  Ｃｏｄｅ）を維持することにより、用途によっては、有益なマーケティング情報が提供されることになる場合もある。
変形例およびさらなる実施形態
上述の実施形態では、フェムトセル基地局のサービスエリアにより、位置更新処理が実行される境界が決まる。より高い精度で位置を求めるために、送信するフェムトセル基地局のサービスエリアをさまざまな手段により変更することができる。記載のすべての手段に関し、オペレーター設備（すなわち、フェムトセル基地局）の動作を調節する必要はない。
【００３０】
図４Ａでは、フェムトセル基地局１は反射表面３１により取り囲まれている。反射表面３１は、フェムトセル基地局１からの放射線（ｒａｄｉａｔｉｏｎ）を変更前のフェムトセル基地局１のサービスエリアよりも境界がもっとはっきりと規定された制限区域に向けて導くような形状に形成されている。反射表面３１の形状はさまざまな方法で当業者により調節がなされるようになっていてもよい。たとえば、直交して隣接する３つの伝導性シートを用いて、ほぼ下方に向けて放射線を制限区域に導くコーナーレフレクターを形成するシートが形成されてもよい。
【００３１】
図４Ｂでは、フェムトセル基地局１は、シールドケース３３により収納されており、スロット３５を通り抜けることが可能な放射線以外のフェムトセル基地局からの放射線すべてを封じ込めている。シールドケース３３のサイズおよび形状は、スロットアンテナまたは開口アンテナとして機能して好ましい放射特性を有するような設計となっている。
【００３２】
図４Ｃでは、フェムトセル基地局１は完全にシールドケース３７内に収納されている。伝導性プローブ３９が、シールドケースの中へと挿入され、その位置、サイズおよび形状は、フェムトセル基地局１との間の放射線の送受信を最大化するように選択されている。伝導性プローブ３９は、ケーブル４３の接続を可能とするコネクター４１に接続されている。次いで、ケーブル４３は、オペレーターフェムトセル１によって構成される位置エリアを制御するための好ましい特性を有するいかなる標準的なアンテナまたはアンテナシステムに接続されてもよい。
【００３３】
複数のフェムトセル基地局のうちのどのフェムトセル基地局と携帯電話が通信しているかを判断するために、上述のように、スクランブルコードまたは分離コードが用いられるようになっていてもよい。当業者にとって明らかなように、たとえばチャネライゼーションコード（ｃｈａｎｎｅｌｉｚａｔｉｏｎ  ｃｏｄｅ） または国際的セル識別コード（ｃｅｌｌ  ｇｌｏｂａｌ  ｉｄｅｎｔｉｆｉｃａｔｉｏｎ  ｃｏｄｅ）を用いることを含む、他の技術が用いられてもよい。
【００３４】
本発明のある実施形態では、独立監視デバイス７は、受信範囲内にある１つ以上のフェムトセル基地局１の構成（たとえば、チャネル数およびスクランブルコード数）をチェックし、当該１つ以上のフェムトセル基地局との間での通信の送受信を監視するように自己設定する。このことは、接続されている無線通信ネットワークにより監視されているフェムトセル基地局の動作の変更が独立して制御されることに適合しうる簡単かつ非常に効果的な監視ネットワークを促進する。
【００３５】
記載の実施形態では、回線交換ネットワーク内の異なる位置エリアコード（Ｌｏｃａｔｉｏｎ  Ａｒｅａ  Ｃｏｄｅ）間の境界が用いられている。それに代えて、ＧＳＭ／ＧＰＲＳおよびＵＭＴＳの回線交換技術におけるＬＡＣおよび位置エリア更新（Ｌｏｃａｔｉｏｎ  Ａｒｅａ  Ｕｐｄａｔｅ）の代わりにパケット交換技術におけるルーティングエリアコード（ＲＡＣ）およびルーティングエリア更新を用いるようにしても十分に実施可能な解決策となりうる。ＣＤＭＡの如きネットワークの場合、地域識別子（ＡＩＤ：Ａｒｅａ  Ｉｄｅｎｔｉｆｉｅｒ）および移動携帯識別番号（ＭＩＮ：Ｍｏｂｉｌｅ  Ｉｄｅｎｔｉｆｉｃａｔｉｏｎ  Ｎｕｍｂｅｒ）がＬＡＣおよびＩＭＳＩにそれぞれ対応しうる。移動電話識別番号の他の適切な形態は、ＩＭＥＩ、電子シリアル番号、またはフェムトセルにより要求され携帯電話により送信される他のいかなる識別情報であってもよい。
【００３６】
記載の実施形態では、携帯電話（場合によっては、移動電話と呼ぶ）について言及されているが、当業者にとって明らかなように、本発明は、たとえば携帯情報端末（ＰＤＡ）、ラップトップコンピュータ、移動ブロードバンドＵＳＢドングルなどの他のタイプの移動通信デバイスの位置を測定するために用いられてもよい。
【図１】
2014510442.tif 000003
【図２】
2014510442.tif 000004
【図３】
2014510442.tif 000005
【図４Ａ】
2014510442.tif 000006
【図４Ｂ】
2014510442.tif 000007
【図４Ｃ】
2014510442.tif 000008
【国際調査報告】
2014510442.tif 000009
2014510442.tif 000010
2014510442.tif 000011